(57)【要約】      （修正有）【課題】内鍋本体の高さを小さくし、炊飯器全体を高さ方向にコンパクトに構成すること。【解決手段】取手１３２は、内鍋本体１３１の上縁から外方向かつ上方向に向けて形成される。言い換えれば、取手１３２、内鍋本体１３１の上縁から上方向に形成されつつ、内鍋本体１３１の外側方向の面が斜めに形成されている。これによって、ユーザが内鍋１３０を持ち上げやすい構成を維持したままで、内鍋本体１３１の上縁の高さを低くすることができる。【選択図】図４
2020192055.tif 000002
【特許請求の範囲】
【請求項１】
炊飯器の内鍋であって、
内鍋本体と、
把持部とを備え、
前記把持部が、前記内鍋本体の上縁部から上方に向けて形成される、炊飯器の内鍋。
【請求項２】
前記把持部の、前記内鍋本体の外方向側が斜めに形成される、請求項１に記載の炊飯器の内鍋。
【請求項３】
前記把持部の、前記内鍋本体の内方向側が斜めに形成される、請求項１に記載の炊飯器の内鍋。
【請求項４】
請求項１から３のいずれか１項に記載の炊飯器の内鍋を収容する炊飯器であって、
肩部を備え、
前記肩部は、前記内鍋本体の上縁外周を保持する保持部と、炊飯器の外周を構成する外周部とを含み、
前記保持部の高さと、前記外周部の高さが略同じに形成される、炊飯器。
【請求項５】
前記外周部の前記把持部に対向する部分が、平面視において外側に凹んでいる、請求項４に記載の炊飯器。
【発明の詳細な説明】
【技術分野】
【０００１】
本発明は、炊飯器の内鍋および炊飯器の技術に関する。
【背景技術】
【０００２】
たとえば炊飯器の内鍋と本体とに関する従来技術として、特開２０１３−１８３８４８号公報（特許文献１）には、「フランジ部に取手部材を配設した内鍋と、内鍋を着脱可能に収容する上端開口の内鍋収容部を有するとともに内鍋を加熱する加熱手段を有し、取手部材を配置する取手配置部を設けた調理器本体と、内鍋の上端開口を密閉する蓋体と、を備えた加熱調理器（炊飯器）において、取手部材に、取手配置部の外側部を覆う把手部を設ける。」ということが開示されている。
【先行技術文献】
【特許文献】
【０００３】
【特許文献１】特開２０１３−１８３８４８号公報
【発明の概要】
【発明が解決しようとする課題】
【０００４】
本発明の目的は、内鍋本体の高さを小さくすることにある。
【課題を解決するための手段】
【０００５】
本発明の一局面においては、炊飯器の内鍋であって、内鍋本体と、把持部とを備え、前記把持部が、前記内鍋本体の上縁部から上方に向けて形成される、炊飯器の内鍋が提供される。
【０００６】
上記の構成によれば、内鍋本体の高さを低くすることができる。
【０００７】
好ましくは、前記把持部の、前記内鍋本体の外方向側が斜めに形成される。
【０００８】
上記の構成によれば、内鍋本体の高さをさらに低くすることができる。
【０００９】
好ましくは、前記把持部の、前記内鍋本体の内方向側が斜めに形成される。
【００１０】
上記の構成によれば、内鍋本体の高さをさらに低くすることができる。
【００１１】
本発明の一局面においては、炊飯器の内鍋を収容する炊飯器であって、肩部を備え、前記肩部は、前記内鍋本体の上縁外周を保持する保持部と、炊飯器の外周を構成する外周部とを含み、前記保持部の高さと、前記外周部の高さが略同じに形成される、炊飯器が提供される。
【００１２】
上記の構成によれば、内鍋本体の高さを低くすることができる。
【００１３】
好ましくは、前記外周部の前記把持部に対向する部分が、平面視において外側に凹んでいる。
【００１４】
上記の構成によれば、内鍋本体の高さをさらに低くすることができる。
【図面の簡単な説明】
【００１５】
【図１】本実施の形態に係る炊飯器の正面図である。
【図２】図１のＩ−Ｉ断面図である。
【図３】本実施の形態に係る炊飯器を図２のＩＩ−ＩＩ線で右半分だけを切断した部分断面図である。
【図４】本実施の形態に係る肩部材と内鍋を示す上面斜視図である。
【図５】本実施の形態に係る肩部材と内鍋を示す平面図である。
【図６】図５のＩＩＩ−ＩＩＩ断面図である。
【図７】本実施の形態に係る内鍋の斜視図である。
【図８】本実施の形態に係る肩部材の斜視図である。
【発明を実施するための形態】
【００１６】
＜炊飯器の全体構造＞
本発明の実施の形態に係る炊飯器１００は、誘導加熱式の圧力炊飯器であって、図１〜図３に示されるように、主に、本体１１０、内鍋１３０、蓋体１４０およびヒンジ機構１５０から構成される。以下、これらの構成要素について詳述する。
【００１７】
１．本体
本体１１０は、図１〜図３に示されるように、主に、筐体１１１、取手１１２、断熱材（図示せず）、誘導加熱コイル１１３、フェライトコア組立体１２１、サーミスタ１１４、送風ファン１１５、ヒートシンク１１６、操作パネル１１７、電源回路基板１１８、制御回路基板１１９および自動巻取式電源コードユニット１２０から構成される。以下、これらの構成要素について詳述する。
【００１８】
（１）筐体
筐体１１１は、主に、側壁１１１ａ、底壁１１１ｂ、肩部材１１１ｃ、保護枠１１１ｄおよび基板支持部材１１１ｅから構成されており、断熱材（図示せず）、誘導加熱コイル１１３、フェライトコア組立体１２１、サーミスタ１１４、送風ファン１１５、ヒートシンク１１６、電源回路基板１１８、制御回路基板１１９および自動巻取式電源コードユニット１２０等を収容している。また、肩部材１１１ｃの前側の上側には操作パネル１１７が配設されている。以下、筐体１１１の各構成要素について詳述した後に、肩部材１１１ｃ、保護枠１１１ｄおよび基板支持部材１１１ｅの締結構造について詳述する。
【００１９】
側壁１１１ａは、平面視において略長方形を呈する囲い壁であって、本体１１０の側面を覆っている。また、この側壁１１１ａには、取手１１２が回動自在に取り付けられる。
【００２０】
底壁１１１ｂは、略方形の板状体であって、側壁１１１ａの下側に嵌め込まれており、側壁１１１ａの下側の開口を覆っている。そして、この底壁１１１ｂには、図２に示されるように、筐体１１１の外部の空気を内部に吸い込むための吸気口Ｏｓ、および、筐体１１１の内部の空気を外部に排出するための排気口（図示せず）が形成されている。なお、図２に示されるように、吸気口Ｏｓの直上には、送風ファン１１５が配設されている。この送風ファン１１５が駆動されると、吸気口Ｏｓを通って外部の空気が筐体１１１の内部に吸い込まれ、それによって生じる空気流れにより内部の加熱空気が排気口から系外に排出される。
【００２１】
肩部材１１１ｃは、略方形状の枠体であって、側壁１１１ａの上側に嵌合されており、側壁１１１ａの上側の開口の縁部を覆っている。そして、図２に示されるように、この肩部材１１１ｃの下側には、保護枠１１１ｄが取り付けられている。なお、図２に示されるように、保護枠１１１ｄはフランジ部ＦＰ（後述）で肩部材１１１ｃに取り付けられており、フランジ部ＦＰは肩部材１１１ｃを外側に向かって張り出させている。
【００２２】
保護枠１１１ｄは、内鍋１３０の外周を保護すると共に肩部材１１１ｃの形状を保持する役目を担う部材であって、ポリエチレンテレフタレート（ＰＥＴ）樹脂等の形状を保ちやすい材質から形成されている。そして、この保護枠１１１ｄは、主に、内鍋収容部ＰＡ、フランジ部ＦＰおよび支持部ＳＵから形成されている。内鍋収容部ＰＡは、内鍋１３０の外周を覆う椀状の部位である。フランジ部ＦＰは、上述の通り、肩部材１１１ｃの下側に配設されており、肩部材１１１ｃの後側の枠状部位を外側に向かって張ることにより肩部材１１１ｃの後側の枠状部位の形状を保持させている。支持部ＳＵは、肩部材１１１ｃの前側の枠状部位の後部を外側に向かって張ることにより肩部材１１１ｃの前側の枠状部位の後部の形状を保持させている。
【００２３】
基板支持部材１１１ｅは、制御回路基板１１９を支持する共に肩部材１１１ｃの前側の部位の形状を保持する役目を担う部材であって、ポリエチレンテレフタレート（ＰＥＴ）樹脂等の形状を保ちやすい材質から形成されている。
【００２４】
（２）取手
取手１１２は、使用者が炊飯器１００を手で持ち運ぶために設けられている部材であって、図３に示されるように、本体部分１１２ａおよび左右の軸部１１２ｂから構成されている。本体部分１１２ａは、略コの字状を呈している。左右の軸部１１２ｂは、本体部分１１２ａの両端から内側に向かって延びている。
【００２５】
（３）断熱材
図２および図３に戻って、断熱材は、保護枠１１１ｄの内鍋収容部ＰＡの側壁および誘導加熱コイル１１３の外周に巻き付けられており、炊飯時において内鍋１３０から生じる熱が内鍋収容部ＰＡの外側に流出するのを抑制する役割を担っている。
【００２６】
（４）誘導加熱コイル
誘導加熱コイル１１３は、内鍋１３０を誘導加熱する誘導加熱源であって、図２および図３に示されるように保護枠１１１ｄの内鍋収容部ＰＡの底壁部および側壁下端部の外側に配設されている。
【００２７】
（５）フェライトコア組立体
フェライトコア組立体１２１は、図３に示されるように誘導加熱コイル１１３の周囲に配設されている。フェライトコアは、通電時に誘導加熱コイル１１３から発生する電磁波が外部に漏れ出るのを抑制する役目を担っている。
【００２８】
（６）サーミスタ
サーミスタ１１４は、温度センサであって、図２に示されるように、保護枠１１１ｄの内鍋収容部ＰＡの底壁部の中央部に形成された開口を通って、上方に向かって突出している。なお、このサーミスタ１１４は、コイルバネ等の付勢部材によって上方に付勢されている。すなわち、このサーミスタ１１４は、上下方向に沿って出没自在な状態とされている。また、このサーミスタ１１４は、内鍋検知センサ（図示せず）に組み込まれている。内鍋検知センサは、炊飯器内に内鍋１３０が存在するか否かを判断するためのものであって、サーミスタ１１４が下端位置まで下がると、検知信号を制御回路基板１１９のマイクロコンピュータに送信する。マイクロコンピュータは、検知信号を受信すると、炊飯器内に内鍋１３０が存在すると判断する。なお、マイクロコンピュータが、炊飯器内に内鍋１３０が存在しないと判断した場合、炊飯運転が開始されない。ところで、このサーミスタ１１４は、図２に示されるように略円盤状のカバー部材１２７によって支持されている。このカバー部材１２７は、保護枠１１１ｄの内鍋収容部ＰＡの底壁にネジ止めされている。
【００２９】
（７）送風ファン
送風ファン１１５は、上述の通り、筐体１１１の底壁１１１ｂに形成される吸気口Ｏｓの直上に、回転軸が略上下方向に沿うようにして配設されている（図２参照）。すなわち、この送風ファン１１５が駆動されると、外部の空気が吸気口Ｏｓから吸い込まれて筐体内に流入し、そのまま上方に向かって送られる。上方に向かって送られた外部の空気は、ヒートシンク１１６を通って電源回路基板１１８および制御回路基板１１９などに供給されて、それらの部材等を冷却する。
【００３０】
（８）ヒートシンク
ヒートシンク１１６は、外部の空気と効率よく熱交換を行わせる部品である。
【００３１】
（９）操作パネル
操作パネル１１７は、炊飯器１００の運転方法を決定して実行するためのものであって、図１〜図３に示されるように、主に、パネル本体１１７ａおよび押圧ボタンＢＴ等から構成されており、上述の通り、肩部材１１１ｃの前側の上側に配設されている。
【００３２】
（１０）電源回路基板
電源回路基板１１８は、電源回路を構成する基板であって、いくつかの発熱部品を実装している。なお、この電源回路基板１１８は、図２に示されるように、後述する制御回路基板１１９と同様に筐体１１１の前側空間ＳＰｆに収容されている。
【００３３】
（１１）制御回路基板
制御回路基板１１９は、制御回路を構成する基板であって、マイクロコンピュータ等の電子部品を実装している。そして、この制御回路基板１１９は、図２に示されるように、筐体１１１の前側空間ＳＰｆにおいて、ヒートシンク１１６の上方、操作パネル１１７の下側に配設される基板支持部材１１１ｅに支持されている。
【００３４】
（１２）自動巻取式電源コードユニット
自動巻取式電源コードユニット１２０は、電源コードおよび自動巻取機構（図示せず）等から構成されており、図２に示されるように筐体１１１の後側の空間に収容されている。電源コードは、差込プラグ（図示せず）および電気線（図示せず）から構成されている。差込プラグは、電気線の先端に配設されている。電気線は、伸展自在に自動巻取機構に巻回されている。
【００３５】
２．内鍋の構成および内鍋の肩部への載置構成
次に、図４〜図８を参照しながら、本実施の形態にかかる内鍋１３０と、肩部材１１１ｃに対する内鍋１３０の載置構成について説明する。
【００３６】
まず、内鍋１３０は、上方に開口する椀状の鍋であって、肩部材１１１ｃの開口１１１１に挿通されると共に、保護枠１１１ｄの内鍋収容部ＰＡに所定の隙間をもって収容される。なお、ここで、内鍋１３０は、種々のアルミニウム合金およびステンレス合金の多層体（クラッド材）であって、誘導加熱コイル１１３によって誘導加熱され得る。
【００３７】
より詳細には、本実施の形態にかかる内鍋１３０は、内鍋本体１３１と、左右の取手１３２Ｌ，１３２Ｒとを含む。左右の取手１３２Ｌ，１３２Ｒは、内鍋本体１３１の上縁の、互いに対向する位置に取り付けられる。
【００３８】
なお、取手１３２Ｌ，１３２Ｒは、２つに限らず、３つ以上であってもよいし、逆に、内鍋本体１３１の上縁の周囲全てに渡るような、すなわち平面視円形の１つの取手が取り付けられるものであってもよい。
【００３９】
取手１３２Ｌ，１３２Ｒの各々は、内鍋本体１３１の上縁１３１１から外方向かつ上方向に向けて形成される。言い換えれば、取手１３２Ｌ，１３２Ｒは、内鍋本体１３１の上縁１３１１から上方向に形成されつつ、内鍋本体１３１の外側方向の面１３２ａが斜めに形成されている。これによって、ユーザが内鍋１３０を持ち上げやすい構成を移維持したままで、内鍋本体１３１の上縁１３１１の高さを低くすることができる。
【００４０】
さらに、取手１３２Ｌ，１３２Ｒは、内鍋本体１３１の上縁１３１１から上方向に形成されつつ、内鍋本体１３１の内側方向の面１３２ｂも斜めに形成されている。これによって、ユーザが取手１３２Ｌ，１３２Ｒを指で挟み易い構成を移維持したままで、内鍋本体１３１の上縁１３１１の高さを低くすることができる。
【００４１】
取手１３２Ｌ，１３２Ｒの各々は、その上端部の外側に段差１３２ｃが形成される。これによって、ユーザが取手１３２Ｌ，１３２Ｒをつかんで内鍋１３０を持ち上げる際に、指が段差１３２ｃに引っ掛かって内鍋１３０を持ち上げやすく構成されている。
【００４２】
取手１３２Ｌ，１３２Ｒの各々は、その前端部と後端部に段差１３２ｄ，１３２ｅが形成される。これによって、ユーザが取手１３２Ｌ，１３２Ｒをつかんで内鍋１３０を移動させる際に、指が段差１３２ｄ，１３２ｅに引っ掛かって滑り難くなる。
【００４３】
一方、肩部材１１１ｃには、平面視略中央部に開口部１１１１が形成される。そして、開口部１１１１の縁が持ち上がって全周に渡って載置部１１１２が形成されている。特に、本実施の形態においては、取手１３２Ｌ，１３２Ｒが上方に立設されることによって、載置部１１１２の高さを抑えることができるため、肩部材１１１ｃの外縁部１１１４と、載置部１１１２と、が略同じ高さになるように構成されている。なお、両者が同じ高さでなくても、両者の高さの違いは５ｍｍ以下程度に抑えることが好ましい。
【００４４】
さらに本実施の形態においては、肩部材１１１ｃの載置部１１１２のうちの左右の端部が下方に凹んでいる。この凹部１１１３，１１１３の存在と、取手１３２Ｌ，１３２Ｒが上方に形成されていることによって、ユーザが取手１３２Ｌ，１３２Ｒを掴みやすい構成を維持したままで、載置部１１１２の高さを抑えることができるため、肩部材１１１ｃの外縁部１１１４と、載置部１１１２と、を略同じ高さに構成することができる。
【００４５】
さらに本実施の形態においては、平面視において、肩部材１１１ｃの外縁部１１１４の左右、すなわち取手１３２Ｌ，１３２Ｒまたは凹部１１１３，１１１３に対向する部分、の内側が外側に凹んでいる。この凹部１１１５，１１１５の存在と、取手１３２Ｌ，１３２Ｒが上方に形成されていることによって、ユーザが取手１３２Ｌ，１３２Ｒを掴みやすい構成を維持したままで、載置部１１１２の高さを抑えることができるため、肩部材１１１ｃの外縁部１１１４と、載置部１１１２と、を略同じ高さに構成することができる。
【００４６】
なお、本実施の形態においては、取手１３２Ｌ，１３２Ｒの各々は、内鍋本体１３１の上縁１３１１から外方向かつ上方向に向けて形成されているが、取手１３２Ｌ，１３２Ｒの各々は、内鍋本体１３１の上縁１３１１から垂直方向に立ち上がってから内鍋本体１３１の外方向に水平に折れ曲がってもよいし、単に内鍋本体１３１の上縁１３１１から垂直に立ち上がるだけのものであってもよい。
【００４７】
３．蓋体
蓋体１４０は、図１〜図３に示されるように、主に、外装体１４１、開閉ボタン１４２、圧力調整機構１４３、補強部材１４４、内蓋１４５およびレバー部材１４６から構成されている。ヒンジ機構１５０を介して本体１１０に回動自在に取り付けられている。
【００４８】
外装体１４１は、図１および図２に示されるように、略直方体状の部材であって、開閉ボタン１４２、圧力調整機構１４３およびレバー部材１４６等を収容している。なお、ここで、開閉ボタン１４２は、図１および図２に示されるように、上面が外装体１４１の上側に露出するように外装体１４１に配設されている。また、ここで、この外装体１４１は、使用時の内圧に耐えることができるように補強部材によって補強されている。さらに、この外装体１４１の下面には、着脱自在に内蓋１４５が配設されている。
【００４９】
開閉ボタン１４２は、蓋体１４０を開閉するための角丸長方形状のボタンであって、レバー部材１４６の上側に配設されている。なお、この開閉ボタン１４２は、コイルバネ（図示せず）によって上方に向かって付勢されている。
【００５０】
レバー部材１４６は、当接板部（図示せず）と、当接板部の前側から下方に延びる左右一対の延設板部（図示せず）と、各延設板部の下部から後方に向かって延びる爪部（図示せず）とから形成される金属板部材であって、外装体１４１に軸支されていると共に、当接板部の後端でコイルバネ（図示せず）によって上方に向かって付勢されている。なお、ここで、使用者によって開閉ボタン１４２が押し下げられると、開閉ボタン１４２は、レバー部材１４６の当接板部のうち回動軸の後側の部位に当接する。
【００５１】
そして、使用者が蓋体１４０を閉状態としようとするとき、使用者は開閉ボタン１４２を操作する必要がなく、そのまま蓋体１４０を本体１１０に向かって倒し込めばよい。このとき、レバー部材１４６の爪部が、肩部材１１１ｃに形成される傾斜面（図示せず）に接触しながら下方に移動していく。この間、レバー部材１４６は、コイルバネの付勢力に逆らって前方に向かって回動する。そして、爪部が、肩部材１１１ｃに形成される爪受孔（図示せず）まで達すると、コイルバネの付勢力により爪部がその爪受孔に嵌り込む。このようにして蓋体１４０が閉状態となる。一方、蓋体１４０を開状態とするとき、使用者は、開閉ボタン１４２を押し下げる。すると、開閉ボタン１４２の下端部位がレバー部材１４６の当接部に当接し、レバー部材１４６がコイルバネの付勢力に逆らって前方に向かって回動する。このとき、爪受孔に嵌り込んでいた爪部が爪受孔から引き出される。そして、ヒンジ機構１５０の付勢力により蓋体１４０が上方に持ち上げられ、蓋体１４０が開状態となる。
【００５２】
圧力調整機構１４３は、蓋体１４０が閉状態とされ圧力炊飯運転されている状態において、内鍋１３０の内部の圧力を１．０３〜１．３気圧に調整する。また、この圧力調整機構１４３は、圧力炊飯運転中、蓋体１４０を開状態としないようにレバー部材１４６の回動を規制する。なお、本実施の形態において、この圧力調整機構としては、特に限定されず、従前のものが採用されてもかまわない。
【００５３】
補強部材は、蓋体１４０の強度を高めるためのものである。なお、本実施の形態において、補強部材は、特に限定されず、金属板そのものであってもよいし、金属板を複雑形状にしたものであってもよい。
【００５４】
内蓋１４５は、図２に示されるように内鍋１３０の上部を覆って密閉するための部材である。
【００５５】
特に、本実施の形態においては、載置部１１１２，１１１２や、内鍋本体１３１の上縁１３１１の高さを、従来よりも低く構成することができるので、内蓋１４５の位置を従来よりも低い位置まで下げることができ、その結果、炊飯器１００全体を高さ方向にコンパクトに構成することが可能になる。
【００５６】
４．ヒンジ機構
ヒンジ機構１５０は、上述の通り、蓋体１４０が本体１１０に対して回動自在となるように蓋体１４０を本体１１０に取り付けている。なお、上述の通り、このヒンジ機構１５０は、蓋体１４０を開方向に向かって付勢している。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００５８】
１００    ：炊飯器
１１０    ：本体
１１１    ：筐体
１１１ａ  ：側壁
１１１ｂ  ：底壁
１１１ｃ  ：肩部材
１１１１  ：開口部
１１１２  ：載置部
１１１３  ：凹部
１１１４  ：外縁部
１１１５  ：凹部
１１１ｄ  ：保護枠
１１１ｅ  ：基板支持部材
１１２    ：取手
１１２ａ  ：本体部分
１１２ｂ  ：軸部
１１３    ：誘導加熱コイル
１１４    ：サーミスタ
１１５    ：送風ファン
１１６    ：ヒートシンク
１１７    ：操作パネル
１１７ａ  ：パネル本体
１１８    ：電源回路基板
１１９    ：制御回路基板
１２０    ：自動巻取式電源コードユニット
１２１    ：フェライトコア組立体
１２７    ：カバー部材
１３０    ：内鍋
１３１    ：内鍋本体
１３１１  ：上縁
１３２Ｌ  ：取手
１３２Ｒ  ：取手
１３２ａ  ：面
１３２ｂ  ：面
１３２ｃ  ：段差
１３２ｄ  ：段差
１３２ｅ  ：段差
１４０    ：蓋体
１４１    ：外装体
１４２    ：開閉ボタン
１４３    ：圧力調整機構
１４４    ：補強部材
１４５    ：内蓋
１４６    ：レバー部材
１５０    ：ヒンジ機構
ＢＴ      ：押圧ボタン
ＦＰ      ：フランジ部
Ｏｓ      ：吸気口
ＰＡ      ：内鍋収容部
ＳＰｆ    ：前側空間
ＳＵ      ：支持部
【図１】
2020192055.tif 000003
【図２】
2020192055.tif 000004
【図３】
2020192055.tif 000005
【図４】
2020192055.tif 000006
【図５】
2020192055.tif 000007
【図６】
2020192055.tif 000008
【図７】
2020192055.tif 000009
【図８】
2020192055.tif 000010